(57)【要約】【課題】   飾り帯及びその成形方法を提供する。【解決手段】  多数本の飾り紐を順次に平行に並列した後に縫綴して飾り帯を形成することにより、優れた装飾美及び立体感を発現できるようにした飾り帯及びその成形方法が開示される。【選択図】  図１
2018003236.tif 000002
【特許請求の範囲】
【請求項１】
少なくとも３本以上に平行に並列される飾り紐が縫綴されて継ぎ合わせられるように構成されるが、
前記飾り紐は、長手方向に形成される千鳥状の縫綴線により継ぎ合わせられるように構成され、
前記千鳥状の縫綴線は、飾り紐の上部から縫い針に乗って下降した上糸を飾り紐の下部に位置する下糸に絡めて両糸が結び目を形成し、両糸で飾り紐を順次に縫綴していくことにより形成されることを特徴とする飾り帯。
【請求項２】
前記飾り紐は、少なくとも５本以上に設けられ、
前記千鳥状の縫綴線は、前記飾り紐のうち真ん中に位置する中央の飾り紐を基準として両側に対称となるように形成されるが、
前記中央の飾り紐の一方の側に位置する飾り紐同士を縫綴する第１の千鳥状の縫綴線及び前記中央の飾り紐の他方の側に位置する飾り紐同士を縫綴する第２の千鳥状の縫綴線から構成され、
前記第１の千鳥状の縫綴線及び第２の千鳥状の縫綴線の内側の端部は、前記中央の飾り紐に縫綴されるように構成されることを特徴とする請求項１に記載の飾り帯。
【請求項３】
前記飾り紐は、多数の玉が綴紐により連綴されてなる玉紐として設けられるが、
前記玉紐は、前記上糸及び下糸が綴紐に縫綴されて継ぎ合わせられるように構成されることを特徴とする請求項１に記載の飾り帯。
【請求項４】
生地の表面に少なくとも３本以上に平行に並列される飾り紐が縫綴されて継ぎ合わせられるように構成されるが、
前記飾り紐は、長手方向に形成される千鳥状の縫綴線により継ぎ合わせられるように構成され、
前記千鳥状の縫綴線は、飾り紐の上部から縫い針に乗って下降した上糸を生地の下部に位置する下糸に絡めて両糸が結び目を形成し、両糸で飾り紐を順次に縫綴していき、生地に返し縫いされて形成されることを特徴とする飾り帯。
【請求項５】
前記飾り紐は、少なくとも５本以上に設けられ、
前記千鳥状の縫綴線は、前記飾り紐のうち真ん中に位置する中央の飾り紐を基準として両側に対称となるように形成されるが、
前記中央の飾り紐の一方の側に位置する飾り紐同士を縫綴して生地に返し縫いされる第１の千鳥状の縫綴線及び前記中央の飾り紐の他方の側に位置する飾り紐同士を縫綴して生地に返し縫いされる第２の千鳥状の縫綴線から構成され、
前記第１の千鳥状の縫綴線及び第２の千鳥状の縫綴線の内側の端部は、前記中央の飾り紐に縫綴されて生地に返し縫いされるように構成されることを特徴とする請求項４に記載の飾り帯。
【請求項６】
前記飾り紐は、多数の玉が綴紐により連綴されてなる玉紐として設けられるが、
前記玉紐は、前記上糸が綴紐に縫綴され、上糸及び下糸が生地に返し縫いされて継ぎ合わせられるように構成されることを特徴とする請求項４に記載の飾り帯。
【請求項７】
少なくとも３本以上の飾り紐を平行に並列してミシンの押さえに順次に繰り出す工程と、
対角線方向に互いに離れるように形成される第１の縫い針及び第２の縫い針を介して前記押さえに繰り出される飾り紐を縫綴する工程であって、前記第１の縫い針は、前記飾り紐のうち真ん中に位置する中央の飾り紐を基準として一方の側に位置する飾り紐同士を千鳥状に縫綴し、前記第２の縫い針は、前記飾り紐のうち真ん中に位置する中央の飾り紐を基準として他方の側に位置する飾り紐同士を千鳥状に縫綴する工程と、
を含む飾り帯の成形方法。
【請求項８】
前記押さえの底面には、前記飾り紐が順次に収容されて平行に並列されて繰り出されるように所定の間隔を隔ててガイド溝が形成され、
前記第１の縫い針は、中央の飾り紐及び一方の端に位置する飾り紐の間を移動しながら千鳥状に形成される第１の千鳥状の縫綴線を用いて前記中央の飾り紐の一方の側に位置する飾り紐同士を縫綴するように構成され、
前記第２の縫い針は、中央の飾り紐及び他方の端に位置する飾り紐の間を移動しながら千鳥状に形成される第２の千鳥状の縫綴線を用いて前記中央の飾り紐の他方の側に位置する飾り紐同士を縫綴するように構成され、
前記第１の縫い針及び第２の縫い針は、左右方向に飾り帯の幅の半分に見合う分だけ及び前後方向に第１の千鳥状の縫綴線及び第２の千鳥状の縫綴線の半ピッチに見合う分だけ離れるように構成されて、前記第２の千鳥状の縫綴線は前記第１の千鳥状の縫綴線に追従しながら形成されるが、前記第１の千鳥状の縫綴線及び第２の千鳥状の縫綴線の内側の端部は前記中央の飾り紐に縫綴されるように構成されることを特徴とする請求項７に記載の飾り帯の成形方法。
【発明の詳細な説明】
【技術分野】
【０００１】
本発明は、飾り帯及びその成形方法に係り、多数本の飾り紐を順次に平行に並列した後に縫綴して飾り帯を形成することにより、優れた装飾美及び立体感を発現できるようにした飾り帯及びその成形方法に関する。
【背景技術】
【０００２】
一般に、衣服類に形成される飾り物を見ると、特定のロゴを形状化して取り付ける場合、ポケットを衣服類の外側面に取り付けてこれを飾り物として使用する場合、衣服類の特定の部位に文字を刻んでこれを飾り物として使用する場合及びスカートなどの衣服類の下端にレースを取り付けて飾り物として使用する場合がほとんどであった。
【０００３】
上述したように、衣服類をバラエーティに富んだものにするために、上述した方法を利用する場合もあるが、近年、衣服類に刺繍して単調を避けようとする傾向が非常に強く、刺繍する場合には、ズボン及びスカートの一方の側の部分に刺繍してスカート及びズボンの単調さを無くそうとする傾向にある。
【０００４】
また、ズボンの場合には側面ラインに、上着の場合には襟、首の周り及び腕の周りの部分に飾り紐やひも飾りを継ぎ当てる場合があるが、これは、スポーティ性を強調するために取り付ける場合であり、このような場合であっても、単に１本の線状にのみ形成して取り付ける場合がほとんどであった。
【０００５】
しかしながら、従来の衣服類に飾り紐やひも飾りを継ぎ当てる場合、衣服類に飾りをしても単調さが避けられないため、衣服を着用する人々の好みを正常に活かすことができず、装飾美を十分に発現することができないという不都合がある。
【発明の概要】
【発明が解決しようとする課題】
【０００６】
本発明は前記不都合を解消するために案出されたものであり、その目的は、多数本の飾り紐を順次に平行に並列した後に縫綴して飾り帯を形成することにより、優れた装飾美及び立体感を発現できるようにした飾り帯及びその成形方法を提供することである。
また、本発明の他の目的は、多数本の飾り紐が縫綴により強固に継ぎ合わせられるような構造を有する飾り帯及びその成形方法を提供することである。
【課題を解決するための手段】
【０００７】
前記本発明の目的は、少なくとも３本以上に平行に並列される飾り紐が縫綴されて継ぎ合わせられるように構成されるが、前記飾り紐は、長手方向に形成される千鳥状の縫綴線により継ぎ合わせられるように構成され、前記千鳥状の縫綴線は、飾り紐の上部から縫い針に乗って下降した上糸を飾り紐の下部に位置する下糸に絡めて両糸が結び目を形成し、両糸で飾り紐を順次に縫綴していくことにより形成されることを特徴とする飾り帯を提供することにより達成可能である。
【０００８】
また、前記本発明の目的は、生地の表面に少なくとも３本以上に平行に並列される飾り紐が縫綴されて継ぎ合わせられるように構成されるが、前記飾り紐は、長手方向に形成される千鳥状の縫綴線により継ぎ合わせられるように構成され、前記千鳥状の縫綴線は、飾り紐の上部から縫い針に乗って下降した上糸を生地の下部に位置する下糸に絡めて両糸が結び目を形成し、両糸で飾り紐を順次に縫綴していき、生地に返し縫いされて形成されることを特徴とする飾り帯を提供することにより達成可能である。
【０００９】
更に、前記本発明の目的は、少なくとも３本以上の飾り紐を平行に並列してミシンの押さえに順次に繰り出す工程と、対角線方向に互いに離れるように形成される第１の縫い針及び第２の縫い針を介して前記押さえに繰り出される飾り紐を縫綴する工程であって、前記第１の縫い針は、前記飾り紐のうち真ん中に位置する中央の飾り紐を基準として一方の側に位置する飾り紐同士を千鳥状に縫綴し、前記第２の縫い針は、前記飾り紐のうち真ん中に位置する中央の飾り紐を基準として他方の側に位置する飾り紐同士を千鳥状に縫綴する工程と、を含む飾り帯の成形方法を提供することにより達成可能である。
【発明の効果】
【００１０】
本発明によれば、多数本の飾り紐を順次に平行に並列した後に縫綴して飾り帯を形成することにより、優れた装飾美及び立体感を発現することができるという効果が奏される。
【図面の簡単な説明】
【００１１】
【図１】本発明の第１の実施形態に係る飾り帯の斜視図である。
【図２】図１に示す第１の実施形態の結合状態を説明するための結合断面図である。
【図３】本発明の第１の実施形態の好適な他の実施形態を説明するための斜視図である。
【図４】本発明の第２の実施形態に係る飾り帯の斜視図である。
【図５】図４に示す第２の実施形態の結合状態を説明するための結合断面図である。
【図６】本発明の第２の実施形態の好適な他の実施形態を説明するための斜視図である。
【図７】本発明に係る飾り帯の成形方法を説明するための図である。
【図８】本発明に係る飾り帯の成形方法を説明するための図である。
【図９】本発明に係る飾り帯の成形方法を説明するための図である。
【図１０】本発明に係る飾り帯の成形方法を説明するための図である。
【発明を実施するための形態】
【００１２】
以下、添付図面に基づいて、本発明に係る飾り帯の好適な実施形態について詳細に説明する。
添付の図１は、本発明の第１の実施形態に係る飾り帯の斜視図であり、図２は、図１に示す第１の実施形態の結合状態を説明するための結合断面図であり、図３は、本発明の第１の実施形態の好適な他の実施形態を説明するための斜視図である。
【００１３】
同図を参照すると、本発明の実施形態に係る飾り帯は、多数本の飾り紐を順次に平行に並列した後に縫綴して形成することを特徴とする。
【００１４】
まず、本発明に係る飾り帯１０は、少なくとも３本以上に平行に並列される飾り紐１００が縫綴されて継ぎ合わせられるように構成される。
【００１５】
すなわち、本発明に係る飾り帯１０は、従来のように生地に刺繍したり、１本の線状に飾り紐やひも飾りを継ぎ当てたりする方式を取るものではなく、多数本の飾り紐１００が継ぎ合わせられて帯状に形成されるような構造を有するので、このような飾り帯１０を生地に適用したときに優れた装飾美及び立体感が発現されるという効果がある。なお、本発明に係る飾り帯１０は、飾り紐１００が縫綴により継ぎ合わせられるので互いに緊合可能になり、 飾り帯１０を縫製するための縫綴線が１つのパターンを形成して飾り帯の装飾性を更に向上させる。
【００１６】
ここで、前記飾り紐１００は、長手方向に形成される千鳥状の縫綴線２００により継ぎ合わせられるように構成される。すなわち、平行に並列された多数本の飾り紐１００は、長手方向に千鳥状に縫い付けられる千鳥状の縫綴線２００により継ぎ合わせられて飾り帯１０として成形されることにより、隣り合う飾り紐１００同士が互いに緊合可能になり、千鳥状の縫綴線２００が飾り帯の１つのパターンとして発現されて飾り帯１０を生地に適用したときに装飾美が更に向上するという効果がある。なお、前記千鳥状の縫綴線２００に様々な色相を有する縫い糸を適用してパラエーティに富んだ様々なパターンが発現されるようにする。
【００１７】
より具体的に、図２に示すように、前記千鳥状の縫綴線２００は、飾り帯１０の上部から縫い針に乗って下降した上糸２０１に飾り紐１００の下部に位置する下糸２０２を絡めて両糸が結び目を形成し、両糸２０１、２０２で飾り紐１００を順次に縫綴していくことにより形成される。すなわち、本発明に係る上糸２０１及び下糸２０２で飾り紐１００を順次に縫い綴じていくように構成されるので、隣り合う飾り紐１００同士が互いに緊合可能になり、これにより、飾り帯１０を成形したとき、強固な構造を有する飾り帯を提供することができるというメリットがある。
【００１８】
更に、本発明によれば、飾り紐１００が少なくとも５本以上に設けられたとき、２本の千鳥状の縫綴線により多数本の飾り紐が綴じ合わせられるように構成されることが好ましい。
【００１９】
ここで、上述した２本の千鳥状の縫綴線２１０、２２０を用いて飾り紐を綴じ合わせて飾り帯１０を成形することは、飾り紐１００が５つ以上に設けられたときに制限なしに適用可能であるが、飾り紐１００の綴合力及び製造の効率性を考慮に入れたとき、５本の飾り紐１００を２本の千鳥状の縫綴線２１０、２２０を用いて綴じ合わせることが最も好ましい。
【００２０】
このために、図３に示すように、前記千鳥状の縫綴線２００は、前記飾り紐のうち真ん中に位置する中央の飾り紐１０１を基準として両側に対称となるように形成されるが、前記中央の飾り紐１０１の一方の側に位置する飾り紐１００同士を縫綴する第１の千鳥状の縫綴線２１０及び前記中央の飾り紐１０１の他方の側に位置する飾り紐１００同士を縫綴する第２の千鳥状の縫綴線２２０から構成される。すなわち、飾り紐１００の数が増えた分だけ、千鳥状の縫綴線２００を第１の千鳥状の縫綴線２１０及び第２の千鳥状の縫綴線２２０に分離して飾り帯１０をそれぞれ分割したり結合したりするように構成することにより、たとえ飾り帯１０が広い面積を有する場合であっても、飾り帯同士が互いに緊合される。
【００２１】
更に、前記第１の千鳥状の縫綴線２１０及び第２の千鳥状の縫綴線２２０の内側の端部は、前記中央の飾り紐１０１に縫綴されるように構成されることが好ましい。すなわち、前記中央の飾り紐１０１を基準として飾り帯１０の両側をそれぞれ綴じ合わせる第１の千鳥状の縫綴線２１０及び第２の千鳥状の縫綴線２２０が中央の飾り紐１０１に縫綴Ｓされるように構成されることにより、飾り帯１０の両側が継ぎ合わせられるように構成され、第１の千鳥状の縫綴線２１０及び第２の千鳥状の縫綴線２２０の内側の端部が前記中央の飾り紐１０１に縫綴されて飾り帯１０が強固に成形されるというメリットがある。
【００２２】
一方、本発明に適用される飾り紐１００としては、玉紐、金属紐、合成樹脂紐、ひも飾り及び太糸など公知の様々な部材が適用可能であるが、前記部材のうち玉紐から構成されることが好ましい。
【００２３】
すなわち、前記飾り紐１００は、多数の玉１１０が綴紐１２０により連綴されてなる玉紐として設けられることが最も好ましい。また、前記玉紐は、前記上糸２０１及び下糸２０２が綴紐１２０に縫綴されて継ぎ合わせられるように構成されることが好ましい。このように構成されると、上糸２０１及び下糸２０２が綴紐１２０に縫綴されて玉紐が継ぎ合わせられるとき、上糸２０１及び下糸２０２が玉１１０に支持されて強固に結合され、上糸２０１及び下糸２０２が玉１１０の間に収容されて外部に露出されないように構成されるので、外部の摩擦が発生せず、その結果、上糸２１０及び下糸２０２が途切れてしまうことが発生しないというメリットがある。
【００２４】
このように構成される本発明の実施形態に係る飾り帯は、多数本の飾り紐を順次に平行に並列した後に縫綴して形成するように構成され、このようにして成形された飾り帯を所定の長さに切断してズボンの場合に側面ラインに、上着の場合に襟、首の周り及び腕の周りの部分など衣服類に縫着して適用することにより、衣服類に優れた装飾美及び立体感が発現されるというメリットもある。
【００２５】
添付の図４は、本発明の第２の実施形態に係る飾り帯の斜視図であり、図５は、図４に示す第２の実施形態の結合状態を説明するための結合断面図であり、図６は、本発明の第２の実施形態の好適な他の実施形態を説明するための斜視図である。
【００２６】
同図を参照すると、本発明の実施形態に係る飾り帯は、前記第１の実施形態と比較したとき、生地に多数本の飾り紐を縫着して、生地に飾り帯を直接的に形成するところに相違点がある。
【００２７】
まず、本発明の実施形態に係る飾り帯１０は、生地１の表面に少なくとも３本以上に平行に並列される飾り紐１００が縫綴されて継ぎ合わせられるように構成される。
【００２８】
すなわち、本発明に係る飾り帯１０は、従来のように生地に刺繍したり、１本の線状に飾り紐やひも飾りを継ぎ当てたりする方式を取るものではなく、多数本の飾り紐１００が継ぎ合わせられて生地１に帯状に成形されるような構造を有するので、このような飾り帯１０が生地に成形されたときに優れた装飾美及び立体感が発現されるという効果が奏される。なお、本発明に係る飾り帯１０は、飾り紐１００が縫綴により継ぎ合わせられ、生地１に返し縫いされるので互いに緊合可能になり、飾り帯１０を縫製するための縫綴線が１つのパターンを形成して飾り帯の装飾性を更に向上させる。
【００２９】
ここで、前記飾り紐１００は、長手方向に形成される千鳥状の縫綴線２００により継ぎ合わせられるように構成される。すなわち、平行に並列された多数本の飾り紐１００は、長手方向に千鳥状に縫い付けられる千鳥状の縫綴線２００により継ぎ合わせられて飾り帯１０として成形されることにより、隣り合う飾り紐１００同士が互いに緊合可能になり、千鳥状の縫綴線２００が飾り帯１０の１つのパターンとして発現されて飾り帯が生地に形成されたときに装飾性が更に向上するという効果が奏される。
【００３０】
より具体的に、前記千鳥状の縫綴線２００は、飾り紐１００の上部から縫い針に乗って下降した上糸２０１に生地の下部に位置する下糸２０２を絡めて両糸が結び目を形成し、両糸２０１、２０２で飾り紐１００を順次に縫綴していき、生地に返し縫いされることにより形成される。すなわち、本発明に係る上糸２０１及び下糸２０２が飾り紐１００を順次に縫綴していきながら生地１に返し縫いされるように構成されるので、隣り合う飾り紐１００同士が互いに緊合可能になり、これにより、飾り帯１０を生地１に形成したときに強固な構造を有する飾り帯１０を提供することができるというメリットがある。
【００３１】
更に、本発明によれば、飾り紐１００が生地１に少なくとも５本以上に設けられたとき、２本の千鳥状の縫綴線により多数本の飾り紐が縫綴されるように構成されることが好ましい。
【００３２】
ここで、上述した２本の千鳥状の縫綴線２１０、２２０を用いて飾り紐１００を綴じ合わせて生地１に飾り帯１０を成形することは、飾り紐１００が５本以上に設けられたときに制限なしに適用可能であるが、飾り紐１００の綴合力及び製造の効率性を考慮に入れたとき、５本の飾り紐１００が２本の千鳥状の縫綴線２１０、２２０により生地１に成形されるようにすることが最も好ましい。
【００３３】
このために、図６に示すように、前記千鳥状の縫綴線２１０、２２０は、前記飾り紐のうち真ん中に位置する中央の飾り紐１０１を基準として両側に対称となるように形成されるが、前記中央の飾り紐１０１の一方の側に位置する飾り紐１００同士を縫綴し、生地１に返し縫いされる第１の千鳥状の縫綴線２１０及び前記中央の飾り紐１０１の他方の側に位置する飾り紐１００同士を縫綴し、生地１に返し縫いされる第２の千鳥状の縫綴線２２０から構成される。すなわち、飾り紐１００の数が増えた分だけ、千鳥状の縫綴線２００を第１の千鳥状の縫綴線２１０及び第２の千鳥状の縫綴線２２０に分離して飾り帯１０を分割して生地１に結合するように構成されることにより、たとえ飾り帯１０が広い面積を有する場合であっても、飾り帯が生地１に強固に結合される。
【００３４】
更に、前記第１の千鳥状の縫綴線２１０及び第２の千鳥状の縫綴線２２０の内側の端部は、前記中央の飾り紐１０１に縫綴され、生地１に返し縫いされるように構成されることが好ましい。すなわち、前記中央の飾り紐１０１を基準として飾り帯１０の両側をそれぞれ綴じ合わせる第１の千鳥状の縫綴線２１０及び第２の千鳥状の縫綴線２２０が中央の飾り紐１０１に縫綴Ｓされるように構成されることにより、飾り帯１０の両側が継ぎ合わせられるように構成され、第１の千鳥状の縫綴線２１０及び第２の千鳥状の縫綴線２２０の内側の端部が前記中央の飾り紐１０１に縫綴Ｓされて飾り帯１０が生地１に強固に成形されるというメリットがある。
【００３５】
一方、本発明に適用される飾り紐１００としては、玉紐、金属紐、合成樹脂紐、ひも飾り及び太糸など公知の様々な部材が適用可能であるが、前記部材のうち玉紐から構成されることが好ましい。
【００３６】
すなわち、前記飾り紐１００は、多数の玉１１０が綴紐１２０により連綴されてなる玉紐として設けられることが最も好ましい。また、前記玉紐は、前記上糸２０１及び下糸２０２が綴紐１２０に縫綴され、上糸２０１及び下糸２０２が生地１に返し縫いされて継ぎ合わせられるように構成されることが好ましい。このように構成されると、上糸２０１及び下糸２０２が綴紐１２０に縫綴されて玉紐が継ぎ合わせられるとき、上糸２０１及び下糸２０２の両方が玉１１０に支持されて強固に結合され、上糸２０１及び下糸２０２が玉１１０の間に収容されて外部に露出されないように構成されるので、外部の摩擦が発生せず、その結果、上糸及び下糸が途切れてしまうことが発生しないというメリットがある。
【００３７】
このように構成される本発明の実施形態に係る飾り帯は、生地に多数本の飾り紐を順次に平行に並列した後に縫綴して形成するように構成されることにより、衣服類に優れた装飾美及び立体感が発現されるというメリットがある。
【００３８】
このように構成された本発明に係る飾り帯の成形方法について説明する。
まず、図７から図９に示すように、少なくとも３本以上の飾り紐１００を平行に並列してミシンの押さえ２０に順次に繰り出す。ここで、前記飾り紐１００は、図示しない巻取ローラーにそれぞれ巻取されて連続して繰り出されるように構成されることが好ましい。
ここで、前記押さえ２０の底面には、前記飾り紐１００が順次に収容されて平行に並列されて繰り出されるように所定の間隔を隔ててガイド溝２１が形成されることが好ましい。すなわち、前記飾り紐１００が押さえ２０に繰り出されるとき、前記ガイド溝２１に沿って飾り紐１００が移動されるように構成されることにより、多数本の飾り紐１００が一列に引き揃えられた状態になって、後述する第１の縫い針３１及び第２の縫い針３２を用いて飾り紐を正確且つ手軽に縫綴することができる。
【００３９】
また、 対角線方向に互いに離れるように形成される第１の縫い針３１及び第２の縫い針３２を介して前記押さえ２０に繰り出される飾り紐１００を縫綴する。
より具体的に、前記第１の縫い針３１は、前記飾り紐のうち真ん中に位置する中央の飾り紐１０１を基準として一方の側に位置する飾り紐１００同士を千鳥状に縫綴し、前記第２の縫い針３２は、前記飾り紐のうち真ん中に位置する中央の飾り紐１０１を基準として他方の側に位置する飾り紐１００同士を千鳥状に縫綴する。
【００４０】
すなわち、前記第１の縫い針３１は、中央の飾り紐１０１及び一方の端に位置する飾り紐の間を移動しながら千鳥状に形成される第１の千鳥状の縫綴線２１０を用いて前記中央の飾り紐１０１の一方の側に位置する飾り紐１００同士を縫綴するように構成され、前記第２の縫い針３２は、中央の飾り紐１０１及び他方の端に位置する飾り紐の間を移動しながら千鳥状に形成される第２の千鳥状の縫綴線２２０を用いて前記中央の飾り紐１０１の他方の側に位置する飾り紐１００同士を縫綴するように構成される。
【００４１】
ここで、図１０に示すように、前記第１の縫い針３１及び第２の縫い針３２は、左右方向に飾り帯１０の幅の半分Ｗに見合う分だけ及び前後方向に第１の千鳥状の縫綴線２１０及び第２の千鳥状の縫綴線２２０の半ピッチに見合う分だけ離れるように構成されて、前記第２の千鳥状の縫綴線２２０は、前記第１の千鳥状の縫綴線２１０に追従しながら形成される。
【００４２】
また、前記第２の千鳥状の縫綴線２２０が前記第１の千鳥状の縫綴線２１０に追従しながら形成されると、前記第１の千鳥状の縫綴線２１０及び第２の千鳥状の縫綴線２２０の内側の端部は、前記中央の飾り紐１０１に縫綴Ｓされるように構成される。このため、前記中央の飾り紐１０１を基準として飾り帯１０の両側をそれぞれ綴じ合わせる第１の千鳥状の縫綴線２１０及び第２の千鳥状の縫綴線２２０が中央の飾り紐１０１に縫綴Ｓされるように構成されることにより、飾り帯１０の両側が継ぎ合わせられるように構成され、第１の千鳥状の縫綴線２１０及び第２の千鳥状の縫綴線２２０の内側の端部が前記中央の飾り紐１０１に縫綴されて飾り帯１０が強固に成形されるというメリットがある。
【００４３】
以上、本発明について特定の実施形態と結び付けて図示及び説明したが、請求範囲により開示される発明の思想及び領域から逸脱しない範囲内において種々に改造及び変更可能であるということは当業者における通常の知識を有する者であれば誰でも容易に理解できる筈である。
【００４４】
すなわち、本発明に係る飾り帯は、衣服類及び布地に適用して装飾効果を発現するだけではなく、ファスナーの持ち手、携帯電話用ストラップ、指輪及びブレスレットなどアクセサリとして製造して装飾効果を発現するように構成可能であるということはいうまでもない。なお、本発明に係る飾り帯は、多数枚を継ぎ合わせることにより、飾り帯を様々な幅に延ばして飾るように構成可能であるということはいうまでもない。
【符号の説明】
【００４５】
１：生地
１０：飾り帯
２０：押さえ
３１、３２：縫い針
１００：飾り紐
２００：千鳥状の縫綴線
【図１】
2018003236.tif 000003
【図２】
2018003236.tif 000004
【図３】
2018003236.tif 000005
【図４】
2018003236.tif 000006
【図５】
2018003236.tif 000007
【図６】
2018003236.tif 000008
【図７】
2018003236.tif 000009
【図８】
2018003236.tif 000010
【図９】
2018003236.tif 000011
【図１０】
2018003236.tif 000012